(57)【要約】【課題】  取り外しが容易な部材を用いて、弾性パッドを日射や塵埃から保護する。【解決手段】  床面Ｆの上に弾性パッド１２を設置し、弾性パッド１２の上に加圧部材１３を介して設備機器１の脚部２を支持する。設備機器１の荷重で弾性パッド１２を加圧した状態で、パッド１２の弾粘性によって床面Ｆから設備機器１への震動伝播を抑制する。加圧部材１３は、弾性パッド１２に接合する加圧プレート１６と、加圧プレート１６に立設されたボルト１７とを含み、ボルト１７をナット１８で脚部２に高さ調節可能に取り付ける。耐候性と柔軟性を備えたカバー部材２２をファスナー２３でボルト１７に取り外し可能に装着し、カバー部材２２で弾性パッド１２の周りを取り囲む。【選択図】  図３
2015137728.tif 000002
【特許請求の範囲】
【請求項１】
床面の上に弾性パッドを設置し、弾性パッドの上に加圧部材を介して設備機器を支持し、設備機器の荷重で弾性パッドを加圧した状態で、床面から設備機器への震動伝播を抑える免震構造において、
前記弾性パッドに被さるカバー部材を前記加圧部材に対して取り外し可能に設けたことを特徴とする免震構造。
【請求項２】
前記カバー部材が耐候性および柔軟性を備えた高分子材料で形成されている請求項１記載の免震構造。
【請求項３】
前記加圧部材が弾性パッドに接合する加圧プレートと、設備機器の荷重を受けるボルトとを含み、ボルトが設備機器に高さ調節可能に取り付けられる請求項１又は２記載の免震構造。
【請求項４】
前記カバー部材が加圧部材の前記ボルトに装着される請求項３記載の免震構造。
【請求項５】
前記カバー部材が加圧部材の前記加圧プレートに装着される請求項３記載の免震構造。
【請求項６】
前記加圧プレートが合成樹脂材料で形成され、前記カバー部材が加圧プレートを介して弾性パッドに被さる金属板を含む請求項３記載の免震構造。
【発明の詳細な説明】
【技術分野】
【０００１】
本発明は、床面の上に設置された機械、タンク、ショーケース等の設備機器の免震構造に関する。
【背景技術】
【０００２】
床面から設備機器への震動伝播を抑えるために、従来、床面と設備機器の脚部との間に弾性パッドを介在させる技術が知られている。例えば、特許文献１には、図８に示すように、塑性変形部材５２が埋設されたパッド５３を床面Ｆに接着し、この弾性パッド５３の上に金属製の加圧プレート５４を介して設備機器５５の脚部５６を載せ、弾性パッド５３によって地震時の震動を吸収する免震構造５１が提案されている。
【先行技術文献】
【特許文献】
【０００３】
【特許文献１】国際公開第WO/2012/172819号
【発明の概要】
【発明が解決しようとする課題】
【０００４】
ところが、従来の免震構造５１によると、弾性パッド５３の周囲が開放しているため、日射によって弾性パッド５３が劣化したり、切削機械から出た切粉が弾性パッド５３に突き刺さったり、床面のゴミや砂が弾性パッド５３に付着したりするなどの問題点があった。そこで、弾性パッド５３の周囲にコーキング材を打つ保護方法も考えられるが、そうすると、設備機器の配置替えに際し、コーキング材を除去した後に再び打設する必要があり、作業に手間がかかるという面倒がある。
【０００５】
本発明の目的は、取り外しが容易な部材を用いて、弾性パッドを日射や塵埃から保護できる免震構造を提供することにある。
【課題を解決するための手段】
【０００６】
上記課題を解決するために、本発明は次のような免震構造を提供する。
（１）床面の上に弾性パッドを設置し、弾性パッドの上に加圧部材を介して設備機器を支持し、設備機器の荷重で弾性パッドを加圧した状態で、床面から設備機器への震動伝播を抑える免震構造において、弾性パッドに被さるカバー部材を加圧部材に対して取り外し可能に設けたことを特徴とする。
【０００７】
（２）カバー部材が耐候性および柔軟性を備えた高分子材料で形成されていることを特徴とする上記１に記載の免震構造。
【０００８】
（３）加圧部材が弾性パッドに接合する加圧プレートと、設備機器の荷重を受けるボルトとを含み、ボルトが設備機器に高さ調節可能に取り付けられることを特徴とする上記１又は２に記載の免震構造。
【０００９】
（４）カバー部材が加圧部材のボルトに取り外し可能に装着されることを特徴とする上記３に記載の免震構造。
【００１０】
（５）カバー部材が加圧部材の加圧プレートに取り外し可能に装着されることを特徴とする上記３に記載の免震構造。
【００１１】
（６）加圧プレートが合成樹脂材料で形成され、カバー部材が加圧プレートを介して弾性パッドに被さる金属板を含むことを特徴とする上記３に記載の免震構造。
【発明の効果】
【００１２】
本発明の免震構造によれば、弾性パッドの周りを取り囲むカバー部材を加圧部材に対して取り外し可能に設けたので、カバー部材により弾性パッドを日射や塵埃から保護できるとともに、設備機器の配置替えに際して、カバー部材を容易に脱着できるという効果がある。
【図面の簡単な説明】
【００１３】
【図１】本発明の一実施形態を示す免震構造の斜視図である。
【図２】図１の免震構造を分解して示す斜視図である。
【図３】図２の免震構造の使用状態を示す断面図である。
【図４】カバー部材の変更例を示す免震構造の断面図である。
【図５】カバー部材の別の変更例を示す免震構造の断面図である。
【図６】本発明の別の実施形態を示す免震構造の断面図である。
【図７】本発明の免震構造の別の適用例を示す設備機器の立面図である。
【図８】従来の免震構造を示す設備機器の立面図である。
【発明を実施するための形態】
【００１４】
以下、本発明の実施形態を図面に基づいて説明する。図１、図２に示す免震構造１１は、設備機器としての機械１と床面Ｆとの間に設置されている。機械１は複数の脚部２を備え、それぞれの脚部２が免震構造１１によって床面Ｆ上に高さ調節可能に支持されている。免震構造１１は、床面Ｆに設置される弾性パッド１２と、弾性パッド１２と脚部２との間に介在する加圧部材１３とを備えている。
【００１５】
図２、図３に示すように、弾性パッド１２は弾粘性を保有する透明または半透明のゲル状弾性体１４と、塑性変形可能な支持体１５とを備え、支持体１５がゲル状弾性体１４中に埋設されている。ゲル状弾性体１４の表裏両面には粘着層１４ａ，１４ｂが設けられ、裏面粘着層１４ｂにより弾性パッド１２が床面Ｆに接着される。支持体１５は、金属または硬質合成樹脂材料で円筒形、円柱形または球形に形成され、機械１の荷重でゲル状弾性体１４が押し潰されない程度の剛性を備えている。
【００１６】
加圧部材１３は、ゲル状弾性体１４の表面粘着層１４ａに接着される加圧プレート１６と、機械１の荷重を受けるために加圧プレート１６に立設されたボルト１７とを含み、ボルト１７がナット１８で機械１の脚部２に高さ調節可能に取り付けられている。そして、床面Ｆの上に弾性パッド１２を設置し、弾性パッド１２の上に加圧部材１３を介して脚部２を支持し、機械１の荷重で弾性パッド１２を加圧した状態で、パッド１２の弾粘性によって床面Ｆから機械１への震動伝播を抑制するようになっている。なお、加圧プレート１６の裏面には規制壁１９が突設され、必要に応じて、規制壁１８の外側にコーキング材２０によって防塵／防水壁２１が形成される。
【００１７】
弾性パッド１２に被さるように、加圧部材１３にはカバー部材２２が取り外し可能に設けられている。カバー部材２２は、シリコンゴム等の耐候性、柔軟性および弾性を備えた高分子材料で扇形のシート状に形成され、短い方の側縁にファスナー２３が設けられている。そして、使用に際して、カバー部材２２を加圧プレート１６に被せ、ファスナー２３をボルト１７に巻き付け、日傘形のカバー部材２２で弾性パッド１２の周囲を取り囲み、弾性パッド１２を日射や塵埃から保護し、機械１の配置替えに際しては、ファスナー２３をボルト１７から取り外し、カバー部材２２を加圧部材１３から容易に撤去できるようになっている。
【００１８】
図４に示すカバー部材２５は、シリコンゴム等で一部が開放するスカート形に成形され、スナップ２６によって加圧プレート１６に取り外し可能に装着されている。図５に示すカバー部材２８は、耐候性ゴム材料で板状に成形され、ネジ２９で加圧プレート１６に下側から分解可能に組み付けられ、周縁に弾性パッド１２を取り囲む被覆部２８ａが一体形成されている。したがって、図１〜図５に示した実施形態の免震構造１１によれば、カバー部材２２，２５，２８により弾性パッド１２の周りを取り囲み、日射、切粉、塵埃等から弾性パッド１２を保護できるとともに、機械１の配置替えに際して、カバー部材２２，２５，２８を加圧部材１３に対して容易に脱着できるという利点がある。
【００１９】
図６に示す免震構造３１では、加圧プレート３２が合成樹脂材料で形成され、カバー部材に金属板３３が使用され、金属板３３にボルト１７が立設されている。加圧プレート３２の下面には規制壁３４が突設され、規制壁３４の外側にコーキング材２０によって防塵／防水壁２１が形成されている。金属板３３は、加圧プレート３２を介して弾性パッド１２に被せられ、弾性パッド１２を日射や高温から保護できるようになっている。
【００２０】
なお、本発明は、上記実施形態に限定されるものではなく、例えば、図７に示すように、上述した構成の免震構造１１をタンク４の脚部５と床面Ｆとの間に設置したり、カバー部材２２の形状を適宜に変更したりするなど、発明の趣旨を逸脱しない範囲で、各部の構成や形状を任意に変更して実施することも可能である。
【符号の説明】
【００２１】
１，４    設備機器
２，５    脚部
１１    免震構造
１２    弾性パッド
１３    加圧部材
１６    加圧プレート
１７    ボルト
２２    日傘形のカバー部材
２５    スカート形のカバー部材
２８    板状のカバー部材
３２    加圧プレート
３３    金属板
Ｆ    床面
【図１】
2015137728.tif 000003
【図２】
2015137728.tif 000004
【図３】
2015137728.tif 000005
【図４】
2015137728.tif 000006
【図５】
2015137728.tif 000007
【図６】
2015137728.tif 000008
【図７】
2015137728.tif 000009
【図８】
2015137728.tif 000010